(57)【要約】【課題】動偽輪郭の目立たない画像が表示できる多階調化処理装置の実現。【解決手段】入力画像信号Ｒｉ，Ｇｉ，Ｂｉを、輝度の重み付けをした複数のサブフィールドに置き換え、サブフィールド単位で表示セルの点灯又は非点灯に符号化する多階調化信号処理装置であって、第１階調数の原色信号を生成するメインパス２０と、第１階調数より少ない第２階調数の原色信号を生成するサブパス３０と、メインパスとサブパスのいずれか一方を出力するスイッチ４０と、動き量Ｍを検出する動き検出回路５０と、動画偽輪郭の出やすさを示すレベル量Ｌを検出するレベル検出回路６１と、動き量Ｍとレベル量Ｌからサブパス出力に切り替えるパス切り替え制御回路６２と、複数のサブフィールド符号化回路４１，４２と、複数のサブフィールド符号化回路の出力の１つを選択する重ね合わせ回路４３と、重ね合わせ回路における選択を制御する重ね合わせ制御回路６３とを備える。【選択図】      図３
2005024708.tif 000002
【特許請求の範囲】
【請求項１】
所定階調数を有する入力画像信号を原色信号毎に、１フィールドを輝度の重み付けをした複数のサブフィールドに置き換え、サブフィールド単位で表示セル毎に点灯又は非点灯に符号化する多階調化信号処理装置であって、
前記所定階調数を有する入力画像信号の原色信号から、前記所定階調数以下の第１階調数の原色信号を生成するメインパスと、
前記第１階調数より少ない第２階調数の原色信号を生成するサブパスと、
前記メインパスの生成信号と前記サブパスの生成信号のいずれか一方を出力するように切り替えるスイッチと、
前記入力画像信号の現在のフィールドと以前のフィールド間の原色信号の変化を画素単位で検出して、動いている領域及び動き量を検出する動き検出回路と、
前記メインパスの原色信号毎に画素単位で、動画偽輪郭の出やすさを示すレベル量を検出して出力するレベル検出回路と、
検出した前記動き量と前記レベル量に基づいて、前記スイッチを前記メインパス出力から前記サブパス出力に切り替えるパス切り替え制御回路と、
前記スイッチから出力された信号が入力され、それぞれ異なるサブフィールド符号化を行って変換信号を出力する複数のサブフィールド符号化回路と、
前記複数のサブフィールド符号化回路の出力が入力され、入力信号のうちの１つを選択する重ね合わせ回路と、
各原色信号の画素単位で、前記重ね合わせ回路における前記複数のサブフィールド符号化回路の出力の選択を制御する重ね合わせ制御回路とを備えることを特徴とする多階調化信号処理装置。
【請求項２】
請求項１に記載の多階調化信号処理装置であって、
前記重ね合わせ制御回路は検出した前記動き量が第１の動き量以上である時に各原色信号の画素単位で重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【請求項３】
請求項１に記載の多階調化信号処理装置であって、
前記重ね合わせ制御回路は検出した前記動き量が所定の動き量以下である時に各原色信号の画素単位で重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【請求項４】
請求項１に記載の多階調化信号処理装置であって、
前記重ね合わせ制御回路は、前記レベル量が所定のレベル量以上である時に、各原色信号の画素単位で、重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【請求項５】
請求項１に記載の多階調化信号処理装置であって、
前記重ね合わせ制御回路は、検出した前記動き量が第１の動き量以上で且つ前記レベル量が所定のレベル量以上である時に、各原色信号の画素単位で、重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【請求項６】
請求項２又は５に記載の多階調化信号処理装置であって、
前記重ね合わせ制御回路は、検出した前記動き量が前記第１の動き量より大きな第２の動き量以上である時には、重ね合わせ処理を行わないように制御する多階調化信号処理装置。
【請求項７】
請求項１に記載の多階調化信号処理装置であって、
パス切り替え制御回路は、前記レベル量が所定のレベル量以上であり且つ検出した動き量が第１動き量より大きい時に前記スイッチを前記サブパス出力に切り替える多階調化信号処理装置。
【請求項８】
請求項２又は５に記載の多階調化信号処理装置であって、
パス切り替え制御回路は、前記レベル量が前記所定のレベル量以上であり且つ検出した動き量が前記第１動き量より大きな第２動き量以上の時に前記スイッチを前記サブパス出力に切り替える多階調化信号処理装置。
【請求項９】
請求項３又は６に記載の多階調化信号処理装置であって、
パス切り替え制御回路は、前記レベル量が前記所定のレベル量以上であり且つ検出した動き量が前記第１動き量と前記第２動き量の間の第３動き量以上の時に前記スイッチを前記サブパス出力に切り替える多階調化信号処理装置。
【請求項１０】
請求項１、２、３、５又は６のいずれか１項に記載の多階調化信号処理装置であって、
パス切り替え制御回路は、前記レベル量及び検出した動き量について所定の演算を行ってパラメータを算出するパラメータ演算回路を備え、前記パラメータが所定のパラメータ値以上の時に前記スイッチを前記サブパス出力に切り替える多階調化信号処理装置。
【請求項１１】
請求項１から１０のいずれか１項に記載の多階調化信号処理装置であって、
前記パス切り替え制御回路は、前記スイッチを前記サブパス出力に切り替える場合、隣接する画素がすでに前記サブパスを選択している時には前記メインパスを選択するように前記スイッチを切り替える多階調化信号処理装置。
【発明の詳細な説明】
【０００１】
【発明の属する技術分野】
本発明は、ＰＤＰパネル、ＥＬパネル及び一部のＬＣＤパネルなどの点灯又は非点等状態のみ制御できる表示装置を使用して、１フィールドを所定の輝度の重み付けをした複数のサブフィールドで構成し、サブフィールド単位で表示セル毎に点灯状態又は非点灯状態にすることにより多階調表示を行うために、画像信号を処理する多階調化信号処理装置に関する。
【０００２】
【従来の技術】
ＰＤＰパネル、ＥＬパネル及び一部のＬＣＤパネルなどのようなセル毎の表示強度を任意に変えることのできない表示素子を利用した表示装置では、１フィールドを所定の輝度の重み付けをした複数のサブフィールドで構成し、サブフィールド単位で表示セル毎に点灯状態又は非点灯状態にすることにより多階調表示を行う。
【０００３】
サブフィールド構成による多階調表示を行う場合、従来は、サブフィールド間の輝度（重み）比を、１：２：４：８という具合に２の累乗で変化するように設定するのがもっとも一般的であった。輝度比をこのような関係に設定することにより、もっとも効率的に階調表示を行うことができる。
【０００４】
サブフィールド構成による多階調表示では、フィールド期間内で点灯時期が離散的になることに起因して、動画像の場合に偽輪郭が生じるという問題がある。このような問題を解決するため、従来から各種の解決方法が提案されてきた。例えば、上記の関係の輝度比を有する構成では、１フィールドの中央に重みの大きなサブフィールを配置するという方法が提案されている。しかし、この構成では比較的低輝度の画像において動偽輪郭が生じ、画質が十分でない。
【０００５】
そこで、特開平７−２７１３２５号公報は、表示効率は若干低下するが、１フィールド内に同じ輝度比のサブフィールドを設け、異なるサブフィールドの組み合わせで同一輝度を表現する複数のサブフィールド符号化テーブルを用意し、各画素のサブフィールド構成を決定する場合に、縦横の表示ライン毎あるいは画素毎、更にはフィールド毎に異なるサブフィールド符号化テーブルを使用して動偽輪郭の発生を低減する重ね合わせ法を開示している。
【０００６】
しかし、重ね合わせ法を使用した場合、市松模様のパターンノイズが生じるという問題がある。そこで、特開２０００−３７２９４８号公報は、動画像であること及び動偽輪郭が現れやすい階調であることを検出した場合にのみ、重ね合わせ法を使用し、それ以外の場合には１つのサブフィールド符号化テーブルを使用する動画像特定階調重ね合わせ法を提案している。
【０００７】
一方、特開平１０−３１４５５号公報は、点灯するサブフィールドの個数を１ずつ増加させた階調のみが表示でき、しかも点灯するサブフィールドが連続するように配置されるサブフィールド配置を使用したサブパスと、そのようなサブフィールド配置におけるあらゆる組合せの階調が選択できるメインパスとを用意し、通常はメインパスを選択して多階調化処理を行い、動画像であること及び動偽輪郭が現れやすい階調であることを検出した場合にのみサブパスを選択することにより動偽輪郭の発生を低減するパス切り換え法を開示している。パス切り換え法では、メインパスとサブパスで表現できる階調数に差があるので、画像信号のゲイン調整や誤差拡散処理を行う。
【０００８】
重ね合わせ法及びパス切り換え法については、その詳細が上記の文献に記載されているので、ここではこれ以上の説明を省略する。
【０００９】
【特許文献１】
特開平７−２７１３２５号公報
【特許文献２】
特開２０００−３７２９４８号公報
【特許文献３】
特開平１０−３１４５５号公報
【００１０】
【発明が解決しようとする課題】
特開２０００−３７２９４８号公報の開示している動画像特定階調重ね合わせ法によれば、市松パターン状のノイズは低減できるが、動きの速い動画像の場合には、十分に動偽輪郭の発生を低減できないという問題がある。これは、重ね合わせ法では隣接画素間での動偽輪郭の発生を低減するが、動きの速い動画像のように複数の画素に渡って偽輪郭が発生する場合には、十分な効果がないためである。
【００１１】
また、特開平１０−３１４５５号公報の開示しているパス切り換え法では、サブパスに切り換えることにより動偽輪郭を防止できるが、動画像で動画領域が大きい場合動きの速さにかかわらず、サブパスの誤差拡散処理によるノイズが目立ち、更にサブパスとメインパスの切り換えショック（メインパスの滑らかな階調表現に対するサブパスの誤差拡散の粒状ノイズ）が大きく、画像として大きな違和感を生じるという問題がある。
【００１２】
上記のように、動画像特定階調重ね合わせ法及びパス切り換え法は、いずれも画像によっては動偽輪郭を十分に低減できないという問題があった。
【００１３】
本発明は、動偽輪郭を一層低減してより良好な画質が得られる多階調化信号処理装置の実現を目的とする。
【００１４】
【課題を解決するための手段】
上記目的を実現するため、本発明は、動画像特定階調重ね合わせ法及びパス切り換え法を融合して新しい多階調化信号処理装置を実現する。
【００１５】
すなわち、本発明の多階調化信号処理装置は、所定階調数を有する入力画像信号を原色信号毎に、１フィールドを輝度の重み付けをした複数のサブフィールドに置き換え、サブフィールド単位で表示セル毎に点灯又は非点灯に符号化する多階調化信号処理装置であって、前記所定階調数を有する入力画像信号の原色信号から、前記所定階調数以下の第１階調数の原色信号を生成するメインパスと、前記第１階調数より少ない第２階調数の原色信号を生成するサブパスと、前記メインパスの生成信号と前記サブパスの生成信号のいずれか一方を出力するように切り替えるスイッチと、前記入力画像信号の現在のフィールドと以前のフィールド間の原色信号の変化を画素単位で検出して、動いている領域及び動き量を検出する動き検出回路と、前記メインパスの原色信号毎に画素単位で、動画偽輪郭の出やすさを示すレベル量を検出するレベル検出回路と、検出した前記動き量と前記レベル量から、各原色信号の画素単位で偽輪郭発生防止のためのサブパス選択を判定し、サブパス選択判定結果に基づいて、前記スイッチを前記メインパス出力から前記サブパス出力に切り替えるパス切り替え制御回路と、前記スイッチから出力された信号が入力され、それぞれ異なるサブフィールド符号化を行って変換信号を出力する複数のサブフィールド符号化回路と、前記複数のサブフィールド符号化回路の出力が入力され、入力信号のうちの１つを選択する重ね合わせ回路と、各原色信号の画素単位で、前記重ね合わせ回路における前記複数のサブフィールド符号化回路の出力の選択を制御する重ね合わせ制御回路とを備えることを特徴とする。
【００１６】
動画偽輪郭は、サブフィールド構成において桁上がり（桁下がり）が行われるすべての階調で発生する可能性があるが、重みの大きなサブフィールドへの桁上がりが行われる階調でより目立つ。言い換えれば、重みの小さなサブフィールドへの桁上がりが行われる階調では動画偽輪郭が発生しても目立たないので、無視することができる。本発明では、動画偽輪郭発生が検知される時にその偽輪郭が目立つ程度、言い換えれば動画偽輪郭の出やすさをレベル量Ｌで表し、階調毎にレベル量Ｌを設定する。
【００１７】
重ね合わせ処理は常時行われるようにしてもよいが、各原色信号の画素単位で、検出した動き量が第１の動き量以上の時、すなわち動画の時にのみ行うようにしてもよい。重ね合わせ処理を行う場合には、重ね合わせ回路における複数のサブフィールド符号化回路の選択を順次変化させ、重ね合わせ処理を行わない場合には重ね合わせ回路において所定のサブフィールド符号化回路の出力を選択する。
【００１８】
また、逆に、通常は重ね合わせ処理を行い、検出した動き量が所定の動き量以上の時、すなわち動きの非常に速い動画の時には、重ね合わせ処理は効果がないので、行わないようにしてもよい。これを上記の検出した動き量が第１の動き量以上の時に重ね合わせ処理を行う場合に適用することも可能であり、その場合には、検出した動き量が第１の動き量とそれより大きい第２の動き量の間の時に重ね合わせ処理を行い、それ以外の場合には重ね合わせ処理を行わないようにする。
【００１９】
更に、重ね合わせ処理は、レベル量が所定のレベル量より小さい場合には行わず、レベル量が所定のレベル量以上の時にのみ行うようにしてもよい。レベル量による判定と動き量による判定を組み合わせてもよい。例えば、重ね合わせ処理は、検出した動き量が第１の動き量以上で且つレベル量が所定のレベル量以上の時にのみ行うようにしてもよい。
【００２０】
更に、パス切り替え制御回路は、レベル量が動画偽輪郭が検知される所定のレベル量以上であり且つ検出した動き量が第１の動き量以上の時、すなわち動画の時にスイッチをサブパス出力に切り替える。
【００２１】
また、パス切り替え制御回路は、レベル量及び検出した動き量について所定の演算を行ってパラメータを算出するパラメータ演算回路を備え、パラメータが所定のパラメータ値以上の時にスイッチをサブパス出力に切り替えるようにしてもよい。
【００２２】
更に、検出した動き量が第１と第２の動き量の間の時にのみ重ね合わせ処理を行い、第１の動き量より小さい時及び第２の動き量より大きい時には重ね合わせ処理を行わない場合には、第１と第２の動き量の間の第３の動き量以上の時にスイッチをサブパス出力に切り替えるようにしてもよい。
【００２３】
また、パス切り替え制御回路は、サブパスに切り替えるべき時でも、隣接する画素が既にサブパスに切り替わっている場合には、サブパスを選択せずにメインパスを選択するようにスイッチを切り替えてもよい。これによりサブパスで処理される画素が連続するのを防止でき、粒状ノイズを低減できる。
【００２４】
重ね合わせ制御を行う場合、画素毎に使用するサブフィールド符号化を切り替えるが、その切り替えは表示画面の隣接する横ライン毎、縦ライン毎、又は千鳥状に行うことができ、更にその選択をフィールド毎に変化させてもよい。
【００２５】
更に、２種類のサブフィールド符号化パターンがある場合に、その選択を、画素を構成する３色の色画素が配列された表示画面において、表示画面の横方向に隣接する２つの色画素毎に順次異ならせ、横表示ライン毎に１色画素ずつシフトさせ、更にフィールド毎に１色画素ずつシフトするようにしてもよい。
【００２６】
【発明の実施の形態】
図１は、本発明の実施例の多階調表示装置の全体構成を示す図である。図１において、参照番号１は画像信号が入力される入力端子、２は水平同期信号（Ｈｓｙｎｃ）、垂直同期信号（Ｖｓｙｎｃ）などの同期信号とドットクロックが入力される入力端子、３はある階調数の入力信号を表示装置に応じた所定の階調数の画像信号に変換するゲイン制御回路、４はゲイン制御回路から出力された所定の階調数の画像信号を画素毎にサブフィールド毎の情報に変換するサブフィールド符号化機能を含む多階調化処理回路、５はサブフィールド符号化機能により符号化された画素単位のサブフィールド情報を２フィールド分記憶するフィールドメモリ、６は表示部８を駆動する駆動回路、７は入力端子２から入力された同期信号から多階調化回路４及び駆動回路６の動作を制御する制御信号を出力する制御回路、８はプラズマディスプレイパネルなどの表示部である。フィールドメモリ５は、１フィールド分の画素単位のサブフィールド情報を記憶したら、次のフィールドの時にサブフィールド単位で情報を出力する。
【００２７】
図２は、実施例の表示装置のサブフィールド構成を示す図である。図示のように、１フィールドは８個のサブフィールドＳＦ１〜ＳＦ８で構成され、各サブフィールドはリセット期間とアドレス期間とサステイン期間を有する。リセット期間とアドレス期間は、各サブフィールドで同じ長さであるが、リセット期間は一部のサブフィールドにのみ設ける場合もある。サステイン期間の長さは各サブフィールドの輝度を決定する。本実施例では、サブフィールドＳＦ１〜ＳＦ８のサステイン期間の長さ比は、１６：８：８：２：１：４：８：１６になっており、６４階調が表現できる。
【００２８】
図３は、図１のゲイン制御回路３、多階調化信号処理回路４及び制御回路７の詳細な構成を示す図である。図示のように、動き検出部５０を除いて、Ｒ、Ｇ、Ｂの３原色について同じ多階調化処理回路１０Ｒ、１０Ｇ、１０Ｂと、判定制御回路６０Ｒ、６０Ｇ、６０Ｂとが設けられており、３原色についてそれぞれ独立に処理が行われる。
【００２９】
各多階調化処理回路は、メインパス２０と、サブパス３０と、スイッチ４０と、サブフィールド符号化Ａ回路４１と、サブフィールド符号化Ｂ回路４２と、重ね合わせ回路４３とを有する。入力信号（Ｒｉ、Ｇｉ、Ｂｉ）は、それぞれメインパス２０及びサブパス３０に入力される。メインパス２０は、ゲイン制御回路２１と誤差拡散回路２２を有する。ゲイン制御回路２１は、入力信号をメインパスで表現できる階調レベル０から６３の６４階調に対応した６ビットの信号に変換する回路で、例えば、入力信号が２５６階調を表現できる８ビットの信号である場合に、下位２ビットを削除して６ビットの信号に変換する。誤差拡散回路２２はこの時に削除される下位２ビットの信号による誤差を周辺が素に拡散させて２ビット削除による影響を低減し、あたかも表現できる階調数が増えたかのような印象を与える。ここでは、メインパスで表現できる階調数が６ビットでフルに表現できる６４階調であったが、ビット数でフルに表現できる階調数でなくてもよく、例えば、メインパスで表現できるのが７３階調であれば、ゲイン制御回路２１は２５６階調を７３階調に変換し、誤差拡散回路２２は２５６階調のうちの７３階調に対応しない階調による誤差を周辺画素に拡散する処理を行う。
【００３０】
サブパス３０は、歪み補正回路３１と、ゲイン制御回路３２と、誤差拡散回路３３と、データ整合回路３４とを有する。サブパス３０での処理を行う場合、メインパスで処理を行う場合に表現できるレベル０から６３の６４階調のうち、レベル０、１、３、７、１５、２３、３１、４７及び６３の９階調のみ表現できる。そこで、まず歪み補正回路３１で入力信号に変換に伴う歪み補正を施す。その後、ゲイン制御回路３２で対応する階調レベルに変換する。ここではレベル０から２５５の２５６階調の信号を、レベル０、１、３、７、１５、２３、３１、４７及び６３の９階調の離散的なレベルに変換する。誤差拡散回路３３は、サブパスで表現できる階調レベル以外のレベルによる誤差を周辺の画素に拡散する処理を行う。データ整合回路３４は、サブパスにおける輝度レベルをメインパスにおける輝度レベルに整合させる処理を行う。
【００３１】
スイッチ４０は、通常はメインパス２０の出力を選択して出力するが、対応する判定制御回路からのパス選択信号に応じてサブパス３０のいずれかの出力を選択して出力する。
【００３２】
サブフィールド符号化Ａ回路４１とサブフィールド符号化Ｂ回路４２は、図４及び図５に示すような異なるサブフィールド点灯パターンを記憶したサブフィールド符号化テーブルＡとＢをそれぞれ記憶しており、スイッチ４０から出力された信号の階調数に対応した８ビットのサブフィールド点灯情報を出力する。例えば階調レベルが３６であれば、サブフィールド符号化Ａ回路４１は、ＳＦ１からＳＦ８に対応する８ビットが１、１、１、０、０、０、１、０（１が点灯で、０が非点灯）のサブフィールド点灯情報を出力し、サブフィールド符号化Ｂ回路４２は、０、１、０、０、０、１、１、１のサブフィールド点灯情報を出力する。
【００３３】
メインパス２０からの信号は階調レベル０から６３のすべてのレベルを選択できるが、サブパス３０からの信号で表現できる階調レベルは、レベル０、１、３、７、１５、２３、３１、４７及び６３の９階調のみであり、これらのレベルは点灯するサブフィールドがすべて連続していることが特徴である。このため、サブパス３０からの信号は、動偽輪郭を生じない。
【００３４】
また、本実施例のサブフィールド構成では、輝度比８のサブフィールドが３個、輝度比１６のサブフィールドが２個設けられており、階調レベル８以上では、１つの階調レベルを表現するのに複数の組み合わせが可能である。図４及び５に示すように、サブフィールド符号化Ａ回路４１とサブフィールド符号化Ｂ回路４２が記憶したサブフィールド符号化テーブルＡとＢは、階調レベル８以上では点灯するサブフィールドの位置が前半のサブフィールドの組ＳＦ１〜ＳＦ４と後半のサブフィールドの組ＳＦ５〜ＳＦ８で対称になるように配置されている。
【００３５】
更に、図４及び図５に示すように、各階調には動画偽輪郭の出やすさを示すレベル量Ｌが設定されている。ここでは、重み（輝度比）４のサブフィールドへの桁上がりがある階調のレベル量Ｌを２に、重み８のサブフィールドへの桁上がりがある階調のレベル量Ｌを３に、重み１６のサブフィールドへの桁上がりがある階調のレベル量Ｌを４に設定している。
【００３６】
本実施例では、図６の（Ａ）に示すように、表示画面において、横方向のライン毎にサブフィールド符号化テーブルＡによる符号化とサブフィールド符号化テーブルＢによる符号化を行う。これにより、フィールドにおける点灯サブフィールドの位置が上下のラインで平均化されて動偽輪郭が低減される。
【００３７】
重ね合わせ回路４３は、対応する判定制御回路からの重ね合わせ制御信号に応じて、各画素毎に、サブフィールド符号化Ａ回路４１とサブフィールド符号化Ｂ回路４２の出力するサブフィールド点灯情報を選択して出力する。重ね合わせ回路４３から出力された８ビットのサブフィールド点灯情報は、図１のフィールドメモリ５に展開される。なお、重ね合わせ回路４３は、通常は図６の（Ａ）の配置にかかわらず、サブフィールド符号化Ａ回路４１の出力するサブフィールド点灯情報を選択し、重ね合わせ制御信号が入力された時にのみ図６の（Ａ）の配置に従ってサブフィールド符号化Ａ回路４１とサブフィールド符号化Ｂ回路４２の出力するサブフィールド点灯情報を交互に選択する。
【００３８】
動き検出回路５０は、Ｒ、Ｇ、Ｂの３原色信号から輝度信号を算出するＲＧＢマトリクス回路５１と、輝度信号の変化からエッジを検出するエッジ検出回路５２と、輝度信号の変化から動き量を検出する動き領域検出回路５３と、検出したエッジと動き量から画素毎に静止画か動画かを判定し、動いている場合その動き量Ｍを出力する動き判定回路５４とを有する。
【００３９】
各判定制御回路は、メインパス２０の誤差拡散回路２２の出力から画素毎のレベル量Ｌを検出して出力するレベル検出回路６１と、動き量Ｍとレベル量Ｌからスイッチ４０がサブパス３０の出力を選択するように切り替えるパス選択信号を出力するパス判定回路６２と、動き量Ｍとレベル量Ｌから、重ね合わせ回路４３においてサブフィールド符号化Ａ回路４１とサブフィールド符号化Ｂ回路４２の出力のいずれかを選択するかを制御する重ね合わせ選択信号を出力する重ね合わせ制御回路６３とを有する。
【００４０】
図７は、動き検出回路５０と各判定制御回路における処理を示すフローチャートである。ステップ１０１では、レベル検出回路６１が各画素毎に動画偽輪郭の出やすさであるレベル量Ｌを検出する。ステップ１０２では、動き検出回路５０が動き量Ｍを検出する。ステップ１０３では、Ｌがしきい値より大きいかを判定する。レベル量Ｌがしきい値より小さければ動偽輪郭の発生を低減する処理を行う必要はないので、ステップ１０６に進む。レベル量Ｌがしきい値より大きければステップ１０４に進み、動き量Ｍが第１の動きしきい値Ｖ１より大きいかを判定する。ＭがＶ１より小さければ動偽輪郭の発生を低減する処理を行う必要はないので、同様にステップ１０６に進む。ステップ１０６では、メインパス２０を選択し、更にステップ１１１でサブフィールド符号化Ａ回路４１の出力を選択する。
【００４１】
ＭがＶ１より大きい場合には、更にステップ１０５で動き量ＭがＶ１より大きな第２の動きしきい値Ｖ２より大きいかを判定する。ＭがＶ２より小さい場合には、動きが遅く、重ね合わせ処理を行うだけで動偽輪郭が防止できるので、ステップ１０７に進んでメインパス２０を選択した後、ステップ１１０でサブフィールド符号化テーブルＢが選択可能であるか判定する。これは、あるフィールドでは画素毎にサブフィールド符号化テーブルＡ又はＢの一方が選択できるだけであり、重ね合わせ処理を行う場合でもサブフィールド符号化テーブルＢが選択できない場合には、ステップ１１１に進んでサブフィールド符号化Ａ回路４１の出力を選択する。サブフィールド符号化テーブルＢが選択できる場合には、ステップ１１２に進んでサブフィールド符号化Ｂ回路４２の出力を選択する。
【００４２】
ＭがＶ２より大きい場合には、動きが速く、サブパス３０における処理を行うことが望ましい。そこで、ステップ１０８に進んで、その画素に隣接する画素で既にサブパス３０を選択しているかを判定する。隣接する画素で既にサブパス３０を選択している場合には、サブパス処理の画素が連続してノイズが目立つのでサブパスは選択せず、ステップ１１０に進む。隣接する画素がサブパス３０を選択していない場合には、ステップ１０９でサブパス３０を選択し、ステップ１１０に進む。上記のように、ステップ１１０でサブフィールド符号化テーブルＢが選択可能であるか判定し、サブフィールド符号化テーブルＢが選択できない場合には、ステップ１１１に進んでサブフィールド符号化Ａ回路４１の出力を選択し、サブフィールド符号化テーブルＢが選択できる場合には、ステップ１１２に進んでサブフィールド符号化Ｂ回路４２の出力を選択する。
【００４３】
以上のように、この処理では、レベル量Ｌがしきい値より大きく且つ動き量Ｍが第１と第２の動きしきい値Ｖ１とＶ２の間の時には、サブフィールド符号化Ａ回路４１の出力とサブフィールド符号化Ｂ回路４２の出力を交互に選択する重ね合わせ処理を行うが、サブパスを選択するパスの切り換えは行わない。レベル量Ｌがしきい値より大きく且つ動き量Ｍが第２の動きしきい値Ｖ２以上の時には、重ね合わせ処理とパスの切り換えを同時に行う。それ以外の場合には、サブフィールド符号化Ａ回路４１の出力を選択し、メインパスを選択する。すなわち、重ね合わせ処理もパスの切り換えも行わない。但し、重ね合わせ処理及びパスの切り換えを行う場合には、画素位置や隣接画素との関係でそのような処理が行えるかを考慮する。言い換えれば、動画偽輪郭の出やすいレベル量で且つ動画の場合には重ね合わせ処理を行い、動画偽輪郭の出やすいレベル量で且つ動きの速い動画の場合には重ね合わせ処理とパスの切り換えを一緒に行う。
【００４４】
以上のような処理により、パス切り替えショックが和らげられ、動きは速く動偽輪郭が大きな面積で発生する場合に効果がある。偽輪郭は、一箇所に集中して発生させるより、その周辺に弱く偽輪郭を発生させた方が目立ちにくい。このように、メインパスとサブパスを１画素おきに選択することにより、偽輪郭は弱く、広く発生するが、広く発生しているため、それが偽輪郭として認識されにくくなる。
【００４５】
動偽輪郭は偽輪郭が出やすい特定の階調をまたがった画像のグラデーションがある部分にのみ出現する。従って、本実施例のような処理を行うことで、動偽輪郭が低減できる。
【００４６】
以上、本実施例における制御処理を説明したが、色々な変形例が可能である。以下、いくつかの変形例について説明する。
【００４７】
図１１は、動き検出回路５０と各判定回路における他の処理を示すフローチャートである。ステップ１２１、１２２、１２６から１３２は、図７のステップ１０１、１０２、１０６から１１２と同じ処理であり、ステップ１２３と１０４は同じ処理であり、ステップ１２４と１０５は同じ処理であり、ステップ１２５と１０３は同じ処理である。
【００４８】
図１１に示すように、上記の処理では、ステップ１２３では、動き量ＭがＶ１より大きいかを判定し、動き量ＭがＶ１より小さければステップ１２６に進み、動き量ＭがＶ１より大きければステップ１２４に進む。ステップ１２４では、動き量ＭがＶ２より大きいかを判定し、動き量ＭがＶ２より小さければステップ１２７に進み、動き量ＭがＶ２より大きければステップ１２５に進む。ステップ１２５では、レベル量Ｌがしきい値より大きいかを判定し、Ｌがしきい値より小さければステップ１２７に進み、Ｌがしきい値より大きければステップ１２８に進む。後は図７の処理と同じである。
【００４９】
以上のように、図１１の処理では、重ね合わせ処理は動画であればレベル量にかかわらず行われる。サブパスへの切り換えは、動き量Ｍが第２しきい値Ｖ２より大きな場合、すなわち動きの非常に大きな動画である場合で且つレベル量Ｌがしきい値より大きな動画偽輪郭の出やすい階調の時に行われる。
【００５０】
図１２は、動き検出回路５０と各判定回路における更に他の処理を示すフローチャートである。ステップ１４１、１４２、１５０、１５１は、図７のステップ１０１、１０２、１１１，１１２と同じ処理である。ここでは、ＡとＢのサブフィールドの重ね合わせは、レベル量にかかわらず、動き量Ｍが第２のしきい値Ｖ２より小さい時に行う。また、パスの切り換えは、ＭとＬについて所定の演算をしてパラメータＳを算出し、Ｓがしきい値Ｓ１より大きければサブパスを選択し、小さければメインパスを選択する。パラメータＳは、例えばＳ＝ｘＭ＋ｙＬ（ｘ、ｙは所定値）の式に従って算出される。
【００５１】
図１２に示すように、上記の処理では、ステップ１４２の次にステップ１４３でパラメータＳを算出し、ステップ１４４でＳをしきい値Ｓ１と比較する。ＳがＳ１より小さければステップ１４６に進んでメインパスを選択し、ＳがＳ１以上であればステップ１４５に進んで隣接セルが既にサブパスを選択しているかを判定する。隣接セルが既にサブパスを選択している場合には、ステップ１４６に進んでメインパスを選択し、隣接セルがサブパスを選択していない場合には、ステップ１４７に進んでサブパスを選択する。そしていずれの場合も、ステップ１４８に進んで動き量Ｍが第２のしきい値Ｖ２より小さいかを判定し、大きければステップ１５０に進んでサブフィールド符号化Ａ回路４１の出力を選択する。ＭがＶ２より小さければステップ１４９に進んでサブフィールド符号化テーブルＢが選択可能であるか判定し、サブフィールド符号化テーブルＢが選択できる場合には、ステップ１５１に進んでサブフィールド符号化Ｂ回路４２の出力を選択する。
【００５２】
図１２の処理では、重ね合わせ処理を行うかの判定はレベル量Ｌにかかわらず動き量Ｍのみで決定されるが、図１１の処理と逆に動き量Ｍが第２のしきい値Ｖ２より大きい場合には効果がないので行わない。サブパスへの切り換えは、動き量Ｍとレベル量Ｌの両方を考慮したパラメータＳがしきい値Ｓ１より大きな場合に行う。
【００５３】
図１３は、動き検出回路５０と各判定回路における更に他の処理を示すフローチャートである。ステップ１６１、１６２、１７５、１７６は、図７のステップ１０１、１０２、１１１，１１２と同じ処理である。ここでは、動き量について３つのしきい値Ｖ１、Ｖ２、Ｖ３を設定し、レベル量に１つのしきい値Ｌ１を設定する。ＡとＢのサブフィールドの重ね合わせは、レベル量Ｌにかかわらず、動き量Ｍが第１のしきい値Ｖ１と第３のしきい値Ｖ３の間の時に行う。また、サブパスの切り換えは、レベル量Ｌがしきい値Ｌ１より小さい時には行わず、ＬがＬ１より大きく、且つ動き量Ｍが第２のしきい値Ｖ２より大きい時に行う。
【００５４】
図１３に示すように、上記の処理では、ステップ１６２の次にステップ１６３でレベル量Ｌがしきい値Ｌ１より大きいかを判定する。ＬがＬ１より小さければステップ１６５に進んでメインパスを選択し、更にステップ１６８で動き量Ｍが第１のしきい値Ｖ１と第３のしきい値Ｖ３の間であるか判定する。この間でなければ、すなわちＭがＶ１より小さいか又はＶ３より大きい時にはステップ１７５に進んでサブフィールド符号化Ａ回路４１の出力を選択し、この間であれば、すなわちＭがＶ１より大きく且つＶ３より小さい時にはステップ１７４に進んでサブフィールド符号化テーブルＢが選択可能であるか判定し、サブフィールド符号化テーブルＢが選択できる場合には、ステップ１７６に進んでサブフィールド符号化Ｂ回路４２の出力を選択し、選択できない場合にはステップ１７５に進んでサブフィールド符号化Ａ回路４１の出力を選択する。
【００５５】
ＬがＬ１より大きければステップ１６４に進んで動き量Ｍが第１のしきい値Ｖ１より大きいかを判定する。ＭがＶ１より小さければステップ１６６でメインパスを選択してステップ１７５に進んでサブフィールド符号化Ａ回路４１の出力を選択する。ＭがＶ１より大きければステップ１６７で更に動き量Ｍが第２のしきい値Ｖ２より大きいかを判定する。ＭがＶ２より小さければステップ１６９でメインパスを選択してステップ１７４に進んでサブフィールド符号化テーブルＢが選択可能であるか判定する。後は同じである。
【００５６】
ＭがＶ２より大きければステップ１７０で隣接セルが既にサブパスを選択しているか判定し、隣接セルがサブパスを選択していなければステップ１７１でサブパスを選択し、隣接セルがサブパスを選択していればステップ１７２でメインパスを選択する。いずれの場合も、ステップ１７３で動き量Ｍが第３のしきい値Ｖ３より大きいかを判定し、大きければステップ１７５に進み、小さければステップ１７４に進む。後は同じである。
【００５７】
図１４は、動き検出回路５０と各判定回路における更に他の処理を示すフローチャートである。詳しい説明は省略するが、ここでは、動き量について３つのしきい値Ｖ１、Ｖ２、Ｖ３を設定し、更にレベル量Ｌについても２つのしきい値Ｌ１、Ｌ２を設定する。レベル量Ｌが第１のしきい値Ｌ１より小さい時には、重ね合わせ処理もパスの切り換えも行わず（符号化Ａのサブフィールドを選択し、メインパスを選択）、レベル量Ｌが第１の閾値Ｌ１より大きい時には図１３の処理と同じ処理を行い、Ｌ２がＬ１に相当する。すなわち、ＡとＢのサブフィールドの重ね合わせは、レベル量ＬがＬ１より大きい時には、動き量Ｍが第１のしきい値Ｖ１と第３のしきい値Ｖ３の間の時に行う。また、サブパスの切り換えは、レベル量Ｌが第２のしきい値Ｌ２より小さい時には行わず、ＬがＬ２より大きく、且つ動き量Ｍが第２のしきい値Ｖ２より大きい時に行う。
【００５８】
以上、本実施例における制御処理の変形例を説明したが、更に別の変形例も可能であり、上記の図７、図１１から図１４の処理の一部を組み合わせることも可能である。例えば、サブパスを選択できる場合にはサブフィールド符号化テーブルＡを選択し、サブパスを選択できない場合にはサブフィールド符号化テーブルＢを選択できるか判定するようにしてもよい。更に、動き量Ｍにかかわらず、レベル量Ｌがしきい値以上であれば、サブフィールド符号化テーブルＢを選択できるか判定するようにしてもよい。また、重ね合わせ処理は常時行い、動き量Ｍ及びレベル量Ｌに応じてサブパスを選択するようにしてもよい。
【００５９】
本実施例では、表示画面におけるサブフィールド符号化テーブルＡによる符号化とサブフィールド符号化テーブルＢによる符号化を行う画素を、図６の（Ａ）に示すように配置したが、各種の変形例が可能である。例えば、図６の（Ｂ）に示すように、図６の（Ａ）に示す配置を、フィールド毎に交互に変化させてもよい。更に、図８の（Ａ）に示すように、表示画面において縦ライン毎にサブフィールド符号化テーブルＡによる符号化とサブフィールド符号化テーブルＢによる符号化を交互に行うことも可能である。また、図８の（Ｂ）に示すように、そのライン位置をフィールド毎に変化させてもよい。
【００６０】
更に、図９の（Ａ）に示すように、表示画面において隣接する画素毎にサブフィールド符号化テーブルＡによる符号化とサブフィールド符号化テーブルＢによる符号化を交互に行う、すなわち千鳥状に符号化を異ならせることも可能である。また、図９の（Ｂ）に示すように、そのライン位置をフィールド毎に変化させてもよい。
【００６１】
上記の実施例では、３色画像信号で構成される画素毎に独立に重ね合わせ処理を行うとしたが、３色の各色画素に対して上記の実施例の処理を行うようにしてもよい。更に図１０の（Ａ）に示すように、それぞれαとβの２つのサブフィールド情報を出力する２つのサブフィールド符号化回路を設け、あるフィールドｆでは、あるラインｌの色画素に対してαとβを２つずつ交互に選択し、次のラインｌ＋１の色画素に対して位置を１色画素だけずらしてαとβを２つずつ交互に選択するという具合に２つのサブフィールド符号化回路の出力を選択することも可能である。そして、図１０の（Ｂ）及び（Ｃ）に示すように、次のフィールドｆ＋１では１色画素だけずらして選択し、次のフィールドｆ＋２では更に１色画素だけずらして選択し、次のフィールドｆ＋３ではフィールドｆと同じ色画素位置でαとβを２つずつ交互に選択する。以下この選択を繰り返す。
【００６２】
以上、本発明の実施例を説明したが、本発明には各種の変形例が可能であり、例えば、実施例では２つのサブフィールド符号化回路を設ける例を説明したが、３つ以上のサブフィールド符号化回路を設けることも可能である。また、本発明では、上記のパス切り替え法と重ね合わせ法における制御条件を、その特性に合わせて組み合わせることが可能であり、各種の画像、例えば静止画、動きの遅い動画及び動きの速い動画のすべてで動偽輪郭を低減して、ノイズのない良好な画像が表示できる。しかも、動き検出や動偽輪郭の発生する階調であるか検出する回路は共通であるので、回路規模も比較的小さくできる。
【００６３】
（付記１）  所定階調数を有する入力画像信号を原色信号毎に、１フィールドを輝度の重み付けをした複数のサブフィールドに置き換え、サブフィールド単位で表示セル毎に点灯又は非点灯に符号化する多階調化信号処理装置であって、
前記所定階調数を有する入力画像信号の原色信号から、前記所定階調数以下の第１階調数の原色信号を生成するメインパスと、
前記第１階調数より少ない第２階調数の原色信号を生成するサブパスと、
前記メインパスの生成信号と前記サブパスの生成信号のいずれか一方を出力するように切り替えるスイッチと、
前記入力画像信号の現在のフィールドと以前のフィールド間の原色信号の変化を画素単位で検出して、動いている領域及び動き量を検出する動き検出回路と、
前記メインパスの原色信号毎に画素単位で、動画偽輪郭の出やすさを示すレベル量を検出して出力するレベル検出回路と、
検出した前記動き量と前記レベル量に基づいて、前記スイッチを前記メインパス出力から前記サブパス出力に切り替えるパス切り替え制御回路と、
前記スイッチから出力された信号が入力され、それぞれ異なるサブフィールド符号化を行って変換信号を出力する複数のサブフィールド符号化回路と、
前記複数のサブフィールド符号化回路の出力が入力され、入力信号のうちの１つを選択する重ね合わせ回路と、
各原色信号の画素単位で、前記重ね合わせ回路における前記複数のサブフィールド符号化回路の出力の選択を制御する重ね合わせ制御回路とを備えることを特徴とする多階調化信号処理装置。
【００６４】
（付記２）  付記１に記載の多階調化信号処理装置であって、
前記重ね合わせ制御回路は検出した前記動き量が第１の動き量以上である時に各原色信号の画素単位で重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【００６５】
（付記３）  付記１に記載の多階調化信号処理装置であって、
前記重ね合わせ制御回路は検出した前記動き量が所定の動き量以下である時に各原色信号の画素単位で重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【００６６】
（付記４）  付記１に記載の多階調化信号処理装置であって、
前記重ね合わせ制御回路は、前記レベル量が所定のレベル量以上である時に、各原色信号の画素単位で、重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【００６７】
（付記５）  付記１に記載の多階調化信号処理装置であって、
前記重ね合わせ制御回路は、検出した前記動き量が第１の動き量以上で且つ前記レベル量が所定のレベル量以上である時に、各原色信号の画素単位で、重ね合わせ処理を行うことを判定し、重ね合わせ処理を行う場合には前記重ね合わせ回路における前記複数のサブフィールド符号化回路の選択を順次変化させ、重ね合わせ処理を行わない場合には前記重ね合わせ回路において所定のサブフィールド符号化回路の出力を選択するように制御する多階調化信号処理装置。
【００６８】
（付記６）  付記２又は５に記載の多階調化信号処理装置であって、
前記重ね合わせ制御回路は、検出した前記動き量が前記第１の動き量より大きな第２の動き量以上である時には、重ね合わせ処理を行わないように制御する多階調化信号処理装置。
【００６９】
（付記７）  付記１に記載の多階調化信号処理装置であって、
パス切り替え制御回路は、前記レベル量が所定のレベル量以上であり且つ検出した動き量が第１動き量より大きい時に前記スイッチを前記サブパス出力に切り替える多階調化信号処理装置。
【００７０】
（付記８）  付記２又は５に記載の多階調化信号処理装置であって、
パス切り替え制御回路は、前記レベル量が前記所定のレベル量以上であり且つ検出した動き量が前記第１動き量より大きな第２動き量以上の時に前記スイッチを前記サブパス出力に切り替える多階調化信号処理装置。
【００７１】
（付記９）  付記３又は６に記載の多階調化信号処理装置であって、
パス切り替え制御回路は、前記レベル量が前記所定のレベル量以上であり且つ検出した動き量が前記第１動き量と前記第２動き量の間の第３動き量以上の時に前記スイッチを前記サブパス出力に切り替える多階調化信号処理装置。
【００７２】
（付記１０）  付記１、２、３、５又は６のいずれかに記載の多階調化信号処理装置であって、
パス切り替え制御回路は、前記レベル量及び検出した動き量について所定の演算を行ってパラメータを算出するパラメータ演算回路を備え、前記パラメータが所定のパラメータ値以上の時に前記スイッチを前記サブパス出力に切り替える多階調化信号処理装置。
【００７３】
（付記１１）  付記１から１０のいずれかに記載の多階調化信号処理装置であって、
前記パス切り替え制御回路は、前記スイッチを前記サブパス出力に切り替える場合、隣接する画素がすでに前記サブパスを選択している時には前記メインパスを選択するように前記スイッチを切り替える多階調化信号処理装置。
【００７４】
（付記１２）  付記１から１１のいずれかに記載の多階調化信号処理装置であって、
前記重ね合わせ制御回路は、各原色信号について、前記重ね合わせ回路における前記複数のサブフィールド符号化回路の選択を、表示画面の隣接する横ライン毎に順次異ならせるように制御する多階調化信号処理装置。
【００７５】
（付記１３）  付記１から１１のいずれかに記載の多階調化信号処理装置であって、
前記重ね合わせ制御回路は、各原色信号について、前記重ね合わせ回路における前記複数のサブフィールド符号化回路の選択を、表示画面の隣接する縦ライン毎に順次異ならせるように制御する多階調化信号処理装置。
【００７６】
（付記１４）  付記１から１１のいずれかに記載の多階調化信号処理装置であって、
前記重ね合わせ制御回路は、各原色信号について、前記重ね合わせ回路における前記複数のサブフィールド符号化回路の選択を、表示画面の隣接する横方向及び縦方向の画素毎に千鳥状に異ならせるように制御する多階調化信号処理装置。
【００７７】
（付記１５）  付記１２から１４のいずれかに記載の多階調化信号処理装置であって、
前記重ね合わせ制御回路は、各原色信号について、前記重ね合わせ回路における前記複数のサブフィールド符号化回路の選択を、更にフィールド毎に変化させるように制御する多階調化信号処理装置。
【００７８】
（付記１６）  付記１から１１のいずれかに記載の多階調化信号処理装置であって、
前記複数のサブフィールド符号化回路は２つあり、
前記重ね合わせ制御回路は、前記重ね合わせ回路における前記複数のサブフィールド符号化回路の選択を、画素を構成する３色の色画素が配列された表示画面において、表示画面の横方向に隣接する２つの色画素毎に順次異ならせ、横表示ライン毎に１色画素ずつシフトさせ、更にフィールド毎に１色画素ずつシフトするように制御する多階調化信号処理装置。
【００７９】
【発明の効果】
以上説明したように、本発明によれば、パス切り替え法と重ね合わせ法を組み合わせることにより、各種の画像に対して動偽輪郭の目立たない良好な画像が表示できる表示装置が、簡単な構成で実現できる。
【図面の簡単な説明】
【図１】本発明の実施例の多階調表示装置の全体構成を示すブロック図である。
【図２】実施例の表示装置のサブフィールド構成を示す図である。
【図３】実施例の多階調化処理装置の構成を示す図である。
【図４】実施例の重ね合わせ法サブフィールド点灯パターンを示す図である。
【図５】実施例の重ね合わせ法サブフィールド点灯パターンを示す図である。
【図６】重ね合わせパターンの配置例（その１）を示す図である。
【図７】実施例における制御処理を示すフローチャートである。
【図８】重ね合わせパターンの配置例（その２）を示す図である。
【図９】重ね合わせパターンの配置例（その３）を示す図である。
【図１０】重ね合わせパターンの配置例（その４）を示す図である。
【図１１】実施例における別の制御処理を示すフローチャートである。
【図１２】実施例における別の制御処理を示すフローチャートである。
【図１３】実施例における別の制御処理を示すフローチャートである。
【図１４】実施例における別の制御処理を示すフローチャートである。
【符号の説明】
１０Ｒ、１０Ｇ、１０Ｂ…多階調化処理回路
２０…メインパス
３０…サブパス
４０…スイッチ
４１…サブフィールド符号化Ａ回路
４２…サブフィールド符号化Ｂ回路
４３…重ね合わせ回路
５０…動き検出回路
６０Ｒ、６０Ｇ、６０Ｂ…判定制御回路
【図１】
2005024708.tif 000003
【図２】
2005024708.tif 000004
【図３】
2005024708.tif 000005
【図４】
2005024708.tif 000006
【図５】
2005024708.tif 000007
【図６】
2005024708.tif 000008
【図７】
2005024708.tif 000009
【図８】
2005024708.tif 000010
【図９】
2005024708.tif 000011
【図１０】
2005024708.tif 000012
【図１１】
2005024708.tif 000013
【図１２】
2005024708.tif 000014
【図１３】
2005024708.tif 000015
【図１４】
2005024708.tif 000016